(57)【要約】【課題】パレットに乗せられて搬送されてきた荷物群を吊り上げて別な輸送手段に積み替える場合、輸送に使用するパレット等を積替え地点で回収することができ、しかも短時間に且つ人手が掛からずに積み替えができる、均等積付、段積み荷物の積替え装置を提供すること。【解決手段】上面デッキ３３を形成する上板３４と上板３４の間に間隙３１を形成し、フォーク差し込み孔３５を有する２方差しの両面パレット３０と、このパレット３０の前記上面デッキ３３上に敷かれた支えシート４０に吊りベルト手段２１と仮固定手段２２が設けられて構成され、前記支えシート４０上に荷物群７１が均等積付、段積みされて積み替え地まで輸送されることを特徴とする。【選択図】　　　　図１
2004136916.tif 000002
【特許請求の範囲】
【請求項１】
上面デッキを形成する上板と上板の間に間隙を形成し、フォーク差し込み孔を有する２方差しの両面パレットと、このパレットの前記上面デッキ上に敷かれた支えシートに吊りベルト手段と仮固定手段が設けられていることを特徴とする均等積付、段積み荷物の積替え装置。
【請求項２】
前記吊りベルト手段が、前記支えシートの相対向する２組の縁部からそれぞれ井桁状に設けられた複数本の補助ベルトと、前記支えシートの２組の前記対向縁部の前記補助ベルトの先端に設けられた接続用輪部と、両端部を前記輪部に着脱自在に連結する別体の４本の吊りベルトとから構成され、
使用時には、前記各吊りベルトが前記支えシートの各コーナー部を跨いで配設され、該各吊りベルトの両端部のそれぞれを隣接する前記各縁部に設けられた前記輪部に接続して吊り上げ機に掛けられるようにしたことを特徴とする請求項１に記載の均等積付、段積み荷物の積替え装置。
【請求項３】
前記吊りベルトの先端部に金具を設けて、前記接続用輪部に嵌着自在としたことを特徴とする請求項２に記載の均等積付、段積み荷物の積替え装置。
【請求項４】
前記支えシートの仮固定手段は、前記支えシートの裏面部に縫い付けられた接着布と前記支えシートの表面部に縫い付けられた別体の接着布にてパレットの上板を包み込み仮固定することを特徴とする請求項１又は２に記載の均等積付、段積み荷物の積替え装置。
【請求項５】
前記支えシートの仮固定手段は、前記支えシートの裏面部から一定の長さの仮固定用ベルトを真下にのばし、前記パレットの間隙に前記仮固定用ベルトを差し込み固定することを特徴とする請求項１又は２に記載の均等積付、段積み荷物の積替え装置。
【請求項６】
前記吊りベルトの中間に支え用ベルト及び保形部材を設けて吊り上げ用環部を形成し、この吊り上げ用環部が均等積付、段積みされた荷物群の上部にて立ち上がるようにして吊り上げ機に掛けられるようにしたことを特徴とする請求項１、２、３、４又は５に記載の均等積付、段積み荷物の積替え装置。
【請求項７】
前記吊りベルト手段が、支えシートの各コーナーを跨いで設置されたＵ字状の吊りベルトから構成され、前記吊りベルトの中間に支え用ベルト及び保形部材を設けて吊り上げ用環部を形成し、この吊り上げ用環部が均等積付、段積みされた荷物群の上部にて立ち上がるようにして吊り上げ機に掛けられるようにしたことを特徴とする請求項１に記載の均等積付、段積み荷物の積替え装置。
【請求項８】
前記吊りベルト仮固定手段が、前記Ｕ字状の吊りベルトに取り付けられた第１接着布、第２接着布及び第３接着布から構成され、前記パレットのフォーク差し込み孔内で相対する吊りベルト同士を交差通過させ、当該吊りベルトの第１接着布と相対する吊りベルトの第２接着布及び第３接着布を接着し仮止めするようにしたことを特徴とする請求項１又は７に記載の均等積付、段積み荷物の積替え装置。
【請求項９】
前記吊りベルト手段が、前記支えシートの１組の対向縁部から突出するように設けられた４本の吊りベルトと、前記支えシートの他の１組の対向縁部間を連絡するように平行に設けられた４本の補助ベルトと、前記補助ベルトの先端に設けられた接続用輪部とから構成され、
使用時には、前記吊りベルトの一端先端を前記接続用輪部に接続し、前記吊りベルトの中間に支え用ベルト及び保形部材を設けて吊り上げ用環部を形成し、この吊り上げ用環部が均等積付、段積みされた荷物群の上部にて立ち上げるようにして吊り上げ機に掛けられるようにしたことを特徴とする請求項１に記載の均等積付、段積み荷物の積替え装置。
【請求項１０】
前記支え用ベルトに接着布を縫い付けた荷締め用ベルトを取り付け、均等積付、段積みされた荷物群を締め付けられるようにしたことを特徴とする請求項６、７又は９に記載の均等積付、段積み荷物の積替え装置。
【請求項１１】
前記吊りベルトの先端部に金具を設けて、前記接続用輪部に嵌着自在としたことを特徴とする請求項９に記載の均等積付、段積み荷物の積替え装置。
【請求項１２】
前記吊りベルト仮固定手段が、前記４本の吊りベルトを巻き取って、前記パレットのフォーク差し込み孔内に挿入し、前記吊りベルトの巻取部の反発力を利用して仮止めするようにしたことを特徴とする請求項１又は９に記載の均等積付、段積み荷物の積替え装置。
【請求項１３】
前記支えシートが布状、ネット状又は帯状に形成されていることを特徴とする請求項１、２、４、５、７又は９に記載の均等積付、段積み荷物の積替え装置。
【発明の詳細な説明】
【０００１】
【発明の属する技術分野】
この発明は均等積付、段積み荷物の積替え装置に関し、更に詳しくは例えば工場から荷受人まで所定の荷物群を出荷する時に、パレットに例えば均等積付、段積みされた荷物群を搬送し、途中で荷物群をパレットから吊り上げてトラック、船舶等に積み替え、目的地まで輸送する際に好適に利用可能な均等積付、段積み荷物の積替え装置に関する。
【０００２】
【従来の技術】
従来、穀物や樹脂ペレット等の粒状物、或いはセメントや小麦粉等の粉状物等は所定の大きさの紙袋に詰められ、これを製造工場から発注者に輸送している。この場合、製造工場では、パレタイザーと称する装置に多数のパレットを積み上げ、このパレタイザーのパレットラックから順次にパレットを引き出してはその上に直接多数の内容物充填紙袋（以下、荷物と称する）をロボットにより均等積付、段積みし、このパレットをフォークリフト等でトラックに積み込み、目的地に輸送する。
【０００３】
輸送先即ち目的地への輸送コストと輸送距離を考えた時に、例えば船舶を利用する方が有利である場所がある。例えば海外などは正にそのような場所に該当するが、日本国内でも東京から沖縄又は北海道への荷物の輸送は輸送時間を考慮しなければ船舶の方が輸送コストは安価である。
【０００４】
例えば船舶を利用して荷物を輸送する場合、前述したように工場でパレット上に均等積付、段積みされた荷物群は、トラックに積み込まれて港（中継地）まで搬送され、ここでトラックから降ろされて船積みされる。その際、港即ち中継地での荷物の船積みは、従来、以下のようにして行われていた。
【０００５】
フォークリフト等を使ってトラックから降ろされたパレット上の荷物群は、フォークリフトで輸送船に積み替えることはできないので、岸壁において通称「モッコ」と呼ばれているロープで編まれたネット又は強靱なシートに乗せ替えられ、このネット又はシートの対向縁部に接続された複数本の吊りベルトを使ってクレーンなどで吊り上げられて輸送船の船倉内に積み替えられる。
【０００６】
或いは、別の方法として、パレットの側部に係止金具を付けておき、クレーンに接続された吊り上げロープの先端に設けられたフックを係止金具に引っかけて、パレットごと吊り上げ、そのまま輸送船の船倉に積み込む、という方法も知られている。
【０００７】
【発明が解決しようとする課題】
しかしながら、前述したような従来の積み替え方法には次のような問題があった。前者のネットへの積み替えは、トラックから降ろしたパレット上の多数の荷物を他のパレット上に敷いたネット上に、シートパレットとプッシュプル又は反転リフト等を使用するか或いは人力にて再び均等積付、段積みしなければならない。更に、場合によっては多数の荷物をネットで輸送船の船倉内に吊り降ろした後、そこでもネットから荷物を降ろして、船倉内所定場所に積み上げる、という作業をしなければならず、その結果積み替えに非常に時間と人手が掛かり、輸送コストを著しく高める原因となっているという問題があった。
【０００８】
また、パレットごと輸送船の船倉に移動する後者の方法では、船倉内でパレットから多数の荷物を降ろして、船倉内所定場所に積み上げるか、或いは荷物群をパレットに積載したまま目的地まで輸送している。しかし、船倉内でパレットから多数の荷物を降ろして、船倉内所定場所に積み上げる場合には、前者の方法と同様に積み替えに非常に時間と人手が掛かり、輸送コストを高める。
【０００９】
更に、荷物群をパレットに積載したまま目的地まで輸送する場合には、トラック又は船舶での輸送にかかわらずパレットの回収に非常にコストが掛かり、この回収を放棄すると、常時、新規なパレットを工場側が補給しなければならず、これも相当なコスト高になる、という問題があった。
【００１０】
この発明の目的は、かかる従来の問題点を解決するためになされたもので、パレットに乗せられて搬送されてきた荷物群を吊り上げて別な輸送手段に積み替える場合、輸送に使用するパレット等をその積替え地点で回収することができ、しかも短時間に且つ人手が掛からずに積み替えができる、均等積付、段積み荷物の積替え装置を提供することにある。
【００１１】
【課題を解決するための手段】
この発明の、均等積付、段積み荷物の積替え装置は、上面デッキを形成する上板と上板の間に間隙を形成し、フォーク差し込み孔を有する２方差しの両面パレットと、このパレットの前記上面デッキ上に敷かれた支えシートに吊りベルト手段と仮固定手段が設けられていることを特徴とする。
【００１２】
また、この発明の均等積付、段積み荷物の積替え装置は、前記吊りベルト手段が、前記支えシートの相対向する２組の縁部からそれぞれ井桁状に設けられた複数本の補助ベルトと、前記支えシートの２組の前記対向縁部の前記補助ベルトの先端に設けられた接続用輪部と、両端部を前記輪部に着脱自在に連結する別体の４本の吊りベルトとから構成され、使用時には、前記各吊りベルトが前記支えシートの各コーナー部を跨いで配設され、該各吊りベルトの両端部のそれぞれを隣接する前記各縁部に設けられた前記輪部に接続して吊り上げ機に掛けられるようにしたことを特徴とする。
【００１３】
また、この発明の均等積付、段積み荷物の積替え装置は、前記吊りベルトの先端部に金具を設けて、前記接続用輪部に嵌着自在としたことを特徴とする。
【００１４】
また、この発明の均等積付、段積み荷物の積替え装置は、前記支えシートの仮固定手段は、前記支えシートの裏面部に縫い付けられた接着布と前記支えシートの表面部に縫い付けられた別体の接着布にてパレットの上板を包み込み仮固定することを特徴とする。
【００１５】
また、この発明の均等積付、段積み荷物の積替え装置は、前記支えシートの仮固定手段は、前記支えシートの裏面部から一定の長さの仮固定用ベルトを真下にのばし、前記パレットの間隙に前記仮固定用ベルトを差し込み固定することを特徴とする。
【００１６】
また、この発明の均等積付、段積み荷物の積替え装置は、前記吊りベルトの中間に支え用ベルト及び保形部材を設けて吊り上げ用環部を形成し、この吊り上げ用環部が均等積付、段積みされた荷物群の上部にて立ち上がるようにして吊り上げ機に掛けられるようにしたことを特徴とする。
【００１７】
また、この発明の均等積付、段積み荷物の積替え装置は、前記吊りベルト手段が、支えシートの各コーナーを跨いで設置されたＵ字状の吊りベルトから構成され、前記吊りベルトの中間に支え用ベルト及び保形部材を設けて吊り上げ用環部を形成し、この吊り上げ用環部が均等積付、段積みされた荷物群の上部にて立ち上がるようにして吊り上げ機に掛けられるようにしたことを特徴とする。
【００１８】
また、この発明の均等積付、段積み荷物の積替え装置は、前記吊りベルト仮固定手段が、前記Ｕ字状の吊りベルトに取り付けられた第１接着布、第２接着布及び第３接着布から構成され、前記パレットのフォーク差し込み孔内で相対する吊りベルト同士を交差通過させ、当該吊りベルトの第１接着布と相対する吊りベルトの第２接着布及び第３接着布を接着し仮止めするようにしたことを特徴とする。
【００１９】
また、この発明の均等積付、段積み荷物の積替え装置は、前記吊りベルト手段が、前記支えシートの１組の対向縁部から突出するように設けられた４本の吊りベルトと、前記支えシートの他の１組の対向縁部間を連絡するように平行に設けられた４本の補助ベルトと、前記補助ベルトの先端に設けられた接続用輪部とから構成され、使用時には、前記吊りベルトの一端先端を前記接続用輪部に接続し、前記吊りベルトの中間に支え用ベルト及び保形部材を設けて吊り上げ用環部を形成し、この吊り上げ用環部が均等積付、段積みされた荷物群の上部にて立ち上げるようにして吊り上げ機に掛けられるようにしたことを特徴とする。
【００２０】
また、この発明の均等積付、段積み荷物の積替え装置は、前記支え用ベルトに接着布を縫い付けた荷締め用ベルトを取り付け、均等積付、段積みされた荷物群を締め付けられるようにしたことを特徴とする。
【００２１】
また、この発明の均等積付、段積み荷物の積替え装置は、前記吊りベルトの先端部に金具を設けて、前記接続用輪部に嵌着自在としたことを特徴とする請求項９に記載の均等積付、段積み荷物の積替え装置。
【００２２】
また、この発明の均等積付、段積み荷物の積替え装置は、前記吊りベルト仮固定手段が、前記４本の吊りベルトを巻き取って、前記パレットのフォーク差し込み孔内に挿入し、前記吊りベルトの巻取部の反発力を利用して仮止めするようにしたことを特徴とする。
【００２３】
更に、この発明の均等積付、段積み荷物の積替え装置は、前記支えシートが布状、ネット状又は帯状に形成されていることを特徴とする。
【００２４】
この発明の均等積付、段積み荷物の積替え装置は、上記のように構成されていることより、パレットに載せられて搬送されてきた荷物群を工場内や中継地等でこれを吊り上げて、例えば、船舶などのような別な輸送手段に積み替える場合、輸送に使用するパレットを積み替え場所で回収することができ、しかも短時間にかつ人手がかからず積み替えができることから、輸送コストを大幅に低減することができる。
【００２５】
また、間接的にはパレットの使用枚数を削減できるため、木材資源の保護となり、近年問題視されている地球環境悪化防止に多少なりとも貢献することができる。更に、支えシート及び吊りベルトも同様に回収することができる。
【００２６】
【発明の実施の形態】
以下、この発明の均等積付、段積み荷物の積替え装置を図に示される実施形態について更に詳細に説明する。図１には、この発明の一実施形態に係る均等積付、段積み荷物の積替え装置（以下、単に積替え装置と称する）１０が示されている。この実施形態の積替え装置１０は、パレット３０と、支えシート４０及び吊りベルト手段２１と仮固定手段２２とから主に構成されている。
【００２７】
パレット３０の詳細は図２に示されている。このパレット３０は、フォーク差し込み孔３５を有する２方差しの両面パレットであり、このパレット３０は、中央桁３６の両側に側部桁３７、３７を設け、これらの中央桁３６及び側部桁３７、３７の上下両面に複数枚の上板３４を設けて載荷面（上面デッキ）３３が形成されている。前記各上板３４、３４間には間隙３１が設けられている。
【００２８】
さらにこの実施形態に係る積替え装置１０は、吊りベルト手段２１の構成要素である別体の吊りベルト５０が着脱できる支えシート４０を含んでいる。図３はこの支えシート４０を裏面から見た平面図である。この支えシート４０は、図３で見た時の横方向幅がパレット３０の横方向幅とほぼ同じ大きさであり、縦方向幅がパレット３０の縦方向幅とほぼ同じ大きさの四角形の織布から形成されている。この織布は主にポリプロピレン製の細いテープを編んだクロス原反で形成されている。
【００２９】
この支えシート４０には吊りベルト手段２１の構成要素である８本の補助ベルト４１と４２が縫い付けられている。詳細には支えシート４０の相対向する一対の縁部４０ａ、４０ｂ、４０ｃ、４０ｄからそれぞれ４本合計８本の補助ベルト４１と４２が井桁状に当該支えシート４０の裏面に縫い付けられている。又補助ベルト４１と４２は互いに並行になるように同じ長さで当該支えシート４０の裏面に縫い付けられている。
【００３０】
このように支えシート４０の裏面にはそれぞれ各８本の補助ベルト４１と４２が井桁状に縫い付けられているが、補助ベルト４１と４２の各ベルト４本が交差することで区画された支えシート４０の各コーナー側の矩形領域の対角線上には更に補強ベルト４３が縫い付けられている。
【００３１】
また図３からも明らかなように、仮固定手段２２として、支えシート４０の裏面部に縫い付けられた接着布４８と支えシート４０の表面部に縫い付けられた接着布４９にてパレット３０の上板３４を包み込み仮固定させることができる。
【００３２】
また、別の仮固定手段２２として、支えシート４０の裏面の各コーナーの近くに仮固定用ベルト４４が縫い付けられている。この仮固定用ベルト４４をパレット３０の各上板３４、３４間に設けられた間隙３１内に差し込んで仮固定させることができる。
この仮固定用ベルト４４も補助ベルト４１、４２も補強ベルト４３も支えシート４０と同じ原反から作られるか、或いはこの原反よりも更に強靭な材料から作られる。
【００３３】
各補助ベルト４１、４２の先端には支えシート４０の一対の縁部４０ａ、４０ｂ、４０ｃ、４０ｄから僅かに突出するような状態で当該ベルト端部を環状に折り曲げることで接続用輪部４５が形成されている。前記輪部４５は吊りベルト手段２１の構成要素である。
前記輪部４５の上面には、吊りベルト５０の端部を固定する接着布４６と４７が縫い付けられている。
【００３４】
また図４、５に示される吊りベルト手段２１の構成要素である吊りベルト５０が、別体品として４本用意されており、この吊りベルト５０の両端にも当該ベルト部を折り返して形成された輪部の中に丸棒状の金具５１が取り付けられている。この金具５１の近傍の吊りベルト５０には、接着布５７、５７ａが設けられている。
【００３５】
さらにまた図５に示される吊りベルト５０には、吊りベルト５０の中心から一定間隔をおいて支え用ベルト５２が設けられて吊りベルト５０の中間部に吊り上げ用環部５４が形成されている。そして、この吊り上げ用環部５４の両側部に位置する吊りベルト５０及び支え用ベルト５２の内側には、保形部材５３が設けられている。
また、前記支えベルト５２には、荷締め用ベルト５５が縫い付けられている。この荷締め用ベルト５５には、接着布５６、５６ａが設けられている。
【００３６】
このことより、支えシート４０上に均等積付、段積みされた荷物群７１の上面に吊りベルト５０の支え用ベルト５２を載置した場合、保形部材５３の作用で吊り上げ用環部５４が荷物群７１上に立設され、吊り上げ機に容易に掛けることができる。同時に、荷物群７１を荷締め用ベルト５５で締め付け固定することができる。
【００３７】
次にこの発明の前述した一実施形態に係る積替え装置１０の使用方法について説明する。
パレット３０の載荷面３３上に支えシート４０を敷き、支えシート４０の裏面部に縫い付けられている接着布４８と支えシート４０の表面部に縫い付けられた別体の接着布４９にてパレット４０の上板３４を包み込み仮固定させることができる。
【００３８】
又は、別の仮固定手段として支えシート４０の裏面に縫い付けられている仮固定用ベルト４４をパレット３０の各コーナーの上板３４と３４の間に設けられた間隙３１から手で下に引き込み支えシート４０をパレット３０に仮固定する。支えシート４０は、前記仮固定用ベルト４４と前記間隙３１との摩擦力で仮固定される。
【００３９】
以下同様の操作を繰り返してパレット３０に支えシート４０を敷き込み、接着布４８と４９または仮固定用ベルト４４にて仮固定を行っていく。図１に示されるのが、いわゆるセット完了状態である。セットされた積替え装置１０は、内容物製造工場或いは内容物を仕入れて袋詰めする工場等において、従来から知られている「パレタイザー」と称する装置７０に図６に示されるように積み重ねられて使用時まで待機させられる。
【００４０】
このパレタイザー７０に積み重ねられた多数の積替え装置１０を使用する時には、当該パレタイザー７０から最下段の積替え装置１０が引き出され、積付けラインに送られる。この積替え装置１０の搬送に際しては、支えシート４０がパレット３０に仮固定されて両者が一体化しているため、円滑に搬送作業を行なうことができる。
【００４１】
一方、内容物充填ラインで内容物が充填された後に口部が封緘された多数の荷物７１（この実施形態では紙袋）は、パレタイザー７０から供給された積替え装置１０の上に図７に示されるように均等積付、段積みされる。
【００４２】
このように積替え装置１０のパレタイザー７０からの取り出し、積付ラインへの供給、及びこの積替え装置１０への多数の荷物の均等積付、段積みは、すべて産業用ロボットによって自動的に行われる。所定数の荷物７１が積替え装置１０に均等積付、段積みされると、フォークリフト（図示せず）を操作して、パレット３０のフォーク差込み孔３５にフォークを挿入してこれを持ち上げ、パレット３０と共にその上の荷物群を倉庫等に仮置きする。
【００４３】
それぞれ荷物群を載荷した状態で倉庫等に仮置きされた多数の積替え装置１０は、出荷時に、リフトカー（図示せず）により倉庫から運搬車輌まで運ばれ、図８及び図９に示されるように、例えばリフトカーのリフトアームにて吊りベルト５０を吊り上げ、支えシート４０の上に積まれた荷物の運搬車輌への積替えが行われる。
【００４４】
上記の積替え作業に先立って、以下の手順で吊りベルト５０を取り付ける。すなわち、それぞれの荷物群を載荷した状態で倉庫等に仮置きされた多数のパレット３０の出荷時に支えシート４０に別体の吊りベルト５０を４本取り付け、吊り上げ可能な状態にする。このときの吊りベルト手段２１の形成方法について詳細に説明する。
【００４５】
図８からも明らかなように予め支えシート４０の各縁部から僅かに突出している補助ベルト４１、４２の先端部に形成されている接続用輪部４５、４５へ、別体の吊りベルト５０の一方の先端に縫い付けられている丸棒５１を嵌め込み、接続用輪部４５、４５の上部に縫い付けられている接着布４６と４７を接着し丸棒５１を固定する。
【００４６】
次に吊りベルト５０の他方の先端の丸棒５１を隣り合う接続用輪部４５、４５へ支えシート４０のコーナーを跨いで接続する。これと同様の操作を繰り返し支えシート４０の各コーナーに吊りベルト５０をセットする。
【００４７】
又吊りベルト５０のセットが終了したならば、吊りベルト５０の支え用ベルト５２を図８に示されるように荷物群７１の上部に置く。吊りベルト５０と支え用ベルト５２には、保形部材５３が縫い付けられているため、吊りベルト５０の中間部に形成された吊り上げ用環部５４が荷物群７１の上方に立ち上がる。この状態が吊り上げ準備完了、つまり出荷準備完了の状態である。
【００４８】
次に支えシート４０上の荷物群７１を運搬車輌の荷台へ積み替える場合には、この吊りベルト５０の吊り上げ用環部５４にフォークリフトのアームを通すか、或いは支えシート４０上の荷物群７１を船に積み替える場合には、船のクレーン、又は岸壁に設置されているクレーン装置のフックに掛け、図９に示されるように吊り上げる。この吊り上げ作業に際して、パレット３０と支えシート４０とは、仮固定手段２２により仮固定されているだけであるため、両者は容易に分離することができる。
【００４９】
これにより支えシート４０の上面に均等積付、段積みされた荷物群７１は支えシート４０によって持ち上げられ、パレット３０と分離され運搬車輌の荷台又は貨物船の船倉内に収納される。更に、図１０に示されるように、支えベルト５２に取り付けられた荷締め用ベルト５５で、支えベルト５２同士を緊締すると、荷物群７１は十文字状に固定され目的地へ輸送される。そして、パレット３０は、この段階で回収される。
【００５０】
このようにして目的地へ到着した荷物群７１は、４本の吊りベルト５０の吊り上げ用環部５４にフォークリフトのリフトアームを通すか、又はクレーン装置のフックに掛け、図９に示されるように吊り上げ、予め用意されていたパレット３０上に降ろされる。
この時点で４本の吊りベルト５０と支えシート４０を分離すると、パレット３０上には支えシート４０だけが残り、その支えシート４０上に荷物群７１が乗った状態となる。つまり支えシート４０と吊りベルト５０は別体となる。そして、吊りベルト５０は、この段階で回収される。
【００５１】
これにより工場等から出荷する際に用いるパレット３０は荷物群７１と共に目的地へ行くことなく回収され、またこのパレット３０上に予め支えシート４０がセットされているので、運搬車輌や船舶への積み替えは極めて迅速に行え、吊りベルト５０は荷卸し時に回収でき、しかもこの支えシート４０も荷物群７１の使用後に回収することができる。
【００５２】
さて図３に示された支えシート４０は一例であって、この発明の積替え装置１０では、この支えシート４０に限定されるものではない。この構造の支えシート４０以外にも図１０に示されるような支えシート８０を用いることもできる。図３に示される支えシート４０と図１１に示される支えシート８０との大きな相違点は吊りベルトが着脱型か一体型かの点と、及び固定手段の違いである。
【００５３】
すなわち図３荷示される支えシート４０は、支えシート４０と吊りベルト５０が別体に構成されているのに対して、図１１に示される支えシート８０は、吊りベルト８４が最初から支えシート８０の各コーナーを跨いでＵ字状に設置されている。
【００５４】
図３に示される支えシート４０とパレット３０との仮固定手段は、支えシート４０の裏面部に縫い付けられている接着布４８と支えシート４０の表面部に縫い付けられた別体の接着布４９にてパレット４０の上板３４を包み込み仮固定させるか、または、支えシート４０の裏面に縫い付けられている仮固定用ベルト４４をパレット３０の上板３４等江板３４の間隙３１に引き込んで両者の摩擦力で仮固定する方法であったが、図１１に示される支えシート８０とパレット３０との仮固定手段は、吊りベルト８４に設けられた接着布８１、８２、８３が相対する吊りベルト８４に設けられた接着布８１ａ、８２ａ、８３ａと接着することで仮固定される。
【００５５】
すなわち、支えシート８０とパレット３０との仮固定は、第１接着布８１及び８１ａ、第２接着布８２及び８２ａ、第３接着布８３及び８３ａが、特定位置に縫い付けられた吊りベルト８４をパレット３０のフォークリフトのアーム差し込み孔内３５内で相対する吊りベルト８４、８４を交差通過させ、吊りベルト８４の第１接着布８１に相対する吊りベルト８４の第２接着布８２ａか第３接着布８３ａを接着させ、他方、吊りベルト８４の第１接着布８１ａに相対する吊りベルト８４の第２接着布８２か第３接着布８３を接着させて図１２に示されるように仮固定が行なわれる。
これにより支えシート８０の対向縁部から吊りベルト８４が大きく飛び出すことはなく、その結果後工程でこの吊りベルト８４が邪魔になることがない。
【００５６】
次にパレット３０に仮固定された支えシート８０は、パレタイザーのロボットにて荷物を支えシート８０上に均等積付、段積みされ倉庫等へ仮置き後、出荷時にはパレット側面に第１接着布８１及び８１ａと第２接着布８２及び８２ａか第３接着布８３及び８３ａにて固定されている吊りベルト８４の前記接着布を手ではがし互いに交差している吊りベルト８４をパレット３０のフォーク差し込み口３５から引っぱりだす。
【００５７】
そして、吊りベルト８４の支え用ベルト８５を荷物の上部に置き、同じく吊りベルトに縫い付けられている保形部材８６にて吊りベルト８４の先方に吊り上げ用環部８７を図８に示されるように荷物群７１上に立ち上がるように作ってやる。
また、前記支えベルト８５には、荷締め用ベルト８８が縫い付けられている。この荷締め用ベルト８８には、接着布８９、８９ａが設けられている。
支えシート８０上の荷物群７１を運搬車輌の荷台へ積み替える場合には、この吊りベルト８４の立ち上がった４本の吊り上げ用環部８７にフォークリフトのリフトアームを通すか或いは支えシート８４上の荷物群７１を船に積み替える場合には、船のクレーン、又は岸壁に設置されているクレーン装置のフックに掛け図９に示されるように吊り上げる。
【００５８】
これにより支えシート８０の上面に均等積付、段積みされた荷物群７１は支えシート８０によって持ち上げられ、パレット３０と分離されて、運搬車輌の荷台または貨物船の船倉内に収納される。更に、図１０に示されるように、支えベルト８５に取り付けられた荷締め用ベルト８８で、支えベルト８５同士を緊締すると、荷物群７１は十文字状に固定され目的地へ輸送される。そして、パレット３０は、この段階で回収される。
【００５９】
また図１３に示される支えシート９０と吊りベルト９１は半着脱形である。前述した図３に示される支えシート４０と吊りベルト５０は完全着脱形であり、一方、図１１に示される支えシート８０と吊りベルト８４は完全一体形である。図１３からも明らかなようにこの支えシート９０には、４本の吊りベルト９１と４本の補助ベルト９２が縫い付けられ、また各コーナー側の矩形領域の対角線上には更に補強ベルト９３が縫い付けられている。
【００６０】
各吊りベルト９１の先端には丸棒金具９４が縫い付けられ、各吊りベルト９１の中間には支え用ベルト９５と保形部材９６も縫い付けられている。
また、前記支えベルト９５には、荷締め用ベルト１１０が縫い付けられている。この荷締め用ベルト１１０には、接着布１１１、１１１ａが設けられている。また、各補助ベルト９２の先端にも支えシート９０の他の一対の縁部９０ｃ、９０ｄから僅かに突出するような状態で、当該ベルト端部を環状に折り曲げることで接続用輪部９７が形成され、接続用輪部９７の上部には接着布９８、９９が縫い付けられている。
【００６１】
図１４に示される支えシート９０とパレット３０の仮固定手段は、支えシート９０の一対の対向縁部９０ａ、９０ｂから突出している４本の吊りベルト９１の先端のＴ字状部をまるめ（巻き取って）パレット３０のフォークリフトのフォーク差し込み孔３５に挿入し、その巻き取り部の反発力を利用して支えシート９０をパレット３０に仮固定する。
【００６２】
具体的には、吊りベルト９１の各突出部であるベルト部分を巻き取った巻取部の直径がフォーク差し込み孔３５の高さより大きくなるので、これを圧縮させるような状態にしてフォーク差し込み孔３５に無理に押し込むと、圧縮された巻取部の弾力（反発力）により巻取部がフォーク差し込み孔３５の内面に圧接して仮固定できる。これにより支えシート９０ａ、９０ｂから吊りベルト９１が大きく飛び出すことはなく、その結果、後工程でこの吊りベルト９１が邪魔になることがない。
【００６３】
次にパレット３０に仮固定された支えシート９０は、図７に示される状態にてパレタイザーのロボットにて荷物を支えシート９０上に均等積付、段積みされ倉庫等へ仮置き後出荷される。
【００６４】
出荷時には予め支えシート９０の一対の対向縁部９０ａ、９０ｂから僅かに突出している吊りベルト９１の一部を手で掴み、パレット３０のフォーク差し込み孔３５内に収納されていた巻取部を引き出し、前述した吊りベルト９１の先端に縫い付け固定された丸棒金具９４を補助ベルト９２の先端部に形成されている接続用輪部９７内へ通し、接続用輪部９７上の接着布９８、９９で接着し固定する。このようにして吊りベルト９１は、一対の対向縁部９０ａ、９０ｂから他の一対の対向縁部９０ｃ、９０ｄに支えシート９０のコーナー部を跨ぐループ状に接続形成される。
【００６５】
また各吊りベルト９１の中間に縫い付けられている支え用ベルト９５と保形部材９６を使用し、荷物群上に吊り上げ用環部を立ち上げて形成する。支えシート９０上の荷物群７１を運搬車輌の荷台へ積み替える場合には、この吊りベルト９１の４本の吊り上げ用環部５４にフォークリフトのリフトアームを通すか、或いは支えシート上の荷物群を船に積み替える場合には船のクレーン、又は岸壁に設置されているクレーン装置のフックに掛け、図９に示されるように吊り上げる。
【００６６】
これにより支えシート９０の上面に均等積付、段積みされた荷物群７１は支えシート９０によって持ち上げられ、パレット３０と分離されて、運搬車輌の荷台または貨物船の船倉内に収納される。更に、図１０に示されるように、支えベルト９５に取り付けられた荷締め用ベルト１１０で、支えベルト９５同士を緊締すると、荷物群７１は十文字状に固定され目的地へ輸送される。そして、パレット３０は、この段階で回収される。
【００６７】
この明細書で「支えシート」とは布状、ネット状、又は帯状のものを言う。図１５に示されるネット状の支えシート１００の実質的な構造は、前述した支えシート９０と同じである。また、図１５に示される支えシート１００と吊りベルト１０１は半着脱型である。前述した図３に示される支えシート４０と吊りベルト５０は完全着脱型であり、一方、図１１に示される支えシート８０と吊りベルト８４は完全一体型である。図１５からも明らかなようにこの支えシート１００には、４本の吊りベルト１０１と４本の補助ベルト１０２が、ほぼ矩形の外周ベルト１０３に縫い付けられている。また、前記補助ベルト１０２に平行する補強ベルト１０３ａが縫い付けられている。
【００６８】
各吊りベルト１０１の先端には丸棒金具１０４が縫い付けられ、各吊りベルト１０１の中間には支え用ベルト１０５と保形部材１０６も縫い付けられている。また、前記支えベルト１０５には、荷締め用ベルト１１０が縫い付けられている。この荷締め用ベルト１１０には、接着布１１１、１１１ａが設けられている。また、各補助ベルト１０２の先端にも支えシート１００の他の一対の縁部１００ｃ、１００ｄから僅かに突出するような状態で、当該ベルト端部を環状に折り曲げることで接続用輪部１０７が形成され、接続用輪部１０７の上部には接着布１０８、１０９が縫い付けられている。
【００６９】
図１５に示される支えシート１００とパレット３０の仮固定手段は、支えシート１００の一対の対向縁部１００ａ、１００ｂから突出している４本の吊りベルト１０１の先端のＴ字状部をまるめ（巻き取って）パレット３０のフォークリフトのフォーク差し込み孔３５に挿入し、その巻き取り部の反発力を利用して支えシート１００をパレット３０に仮固定する。
【００７０】
具体的には、吊りベルト１０１の各突出部であるベルト部分を巻き取った巻取部の直径がフォーク差し込み孔３５の高さより大きくなるので、これを圧縮させるような状態にしてフォーク差し込み孔３５に無理に押し込むと、圧縮された巻取部の弾力（反発力）により巻取部がフォーク差し込み孔３５の内面に圧接して仮固定できる。これにより支えシート１００の対向縁部１００ａ、１００ｂから吊りベルト１０１が大きく飛び出すことはなく、その結果、後工程でこの吊りベルト１０１が邪魔になることがない。
【００７１】
次にパレット３０に仮固定された支えシート１００は、図７に示される状態にてパレタイザーのロボットにて荷物を支えシート１００上に均等積付、段積みされ倉庫等へ仮置き後出荷される。
【００７２】
出荷時には予め支えシート１００の一対の対向縁部１００ａ、１００ｂから僅かに突出している吊りベルト１０１の一部を手で掴み、パレット３０のフォーク差し込み孔３５内に収納されていた巻取部を引き出し、前述した吊りベルト１０１の先端に縫い付け固定された丸棒金具１０４を補助ベルト１０２の先端部に形成されている接続用輪部１０７内へ通し、接続用輪部１０７上の接着布１０８、１０９で接着し丸棒金具１０４を固定する。このようにして吊りベルト１０１は、一対の対向縁部１００ａ、１００ｂから他の一対の対向縁部１００ｃ、１００ｄに支えシート１００のコーナー部を跨ぐループ状に接続形成される。
【００７３】
また各吊りベルト１０１の中間に縫い付けられている支え用ベルト１０５と保形部材１０６を使用し、荷物群上に吊り上げ用環部５４を立ち上げて形成する。支えシート１００上の荷物群７１を運搬車輌の荷台へ積み替える場合には、この吊りベルト１０１の４本の吊り上げ用環部５４にフォークリフトのリフトアームを通すか、或いは支えシート上の荷物群を船に積み替える場合には船のクレーン、又は岸壁に設置されているクレーン装置のフックに掛け、図９に示されるように吊り上げる。
【００７４】
これにより支えシート１００の上面に均等積付、段積みされた荷物群７１は支えシート１００によって持ち上げられ、パレット３０と分離されて、運搬車輌の荷台または貨物船の船倉内に収納される。更に、図１０に示されるように、支えベルト１０５に取り付けられた荷締め用ベルト１１０で、支えベルト１０５同士を緊締すると、荷物群７１は十文字状に固定され目的地へ輸送される。そして、パレット３０は、この段階で回収される。
【００７５】
この発明の均等積付、段積み荷物の積替え装置は、上板と上板の間に間隙が形成され、フォーク差し込み孔を有する２方差しの両面パレットと支えシートの組み合わせであるが、パレットの形態はこれに限定されるものではなく、パレットと支えシートの固定位置を変えることによりどのような形態のパレットにも対応可能である。
【００７６】
また、前述した各実施形態に係る均等積付、段積み荷物の積替え装置では、例えば工場からパレットに乗せて搬送されてきた荷物群を中継地点で貨物船に積み替える場合等を主として説明したが、この発明は船舶や運搬車輌という特定の輸送手段に積み替える場合だけに限定されるものではなく、逆に船舶や運搬車輌から地上に荷物群を降ろす場合、或いは例えばクレーンを使用して倉庫に荷物群を一時的に入れる場合など、要するに荷物群を吊り上げて積み替える場合に広く適用することができる。
【００７７】
【発明の効果】
以上説明したように、この発明の均等積付、段積み荷物の積替え装置によれば、パレットに乗せられて搬送されてきた荷物群を工場内や中継地等でこれを吊り上げて例えば船舶などのような別な輸送手段に積み替える場合、輸送に使用するパレットを積み替え場所で回収することができ、しかも短時間に且つ人手が掛からずに積み替えができることから、輸送コストを大幅に低減することができる。
【００７８】
また、間接的にはパレットの使用枚数を削減できるため、木材資源の保護となり、近年問題視されている地球環境悪化防止に多少とも貢献することができる。更に、支えシート及び吊りベルトも同様に回収することができ、再使用することができる。
【図面の簡単な説明】
【図１】この発明の一実施形態に係る均等積付、段積み荷物の積替え装置を示す斜視図である。
【図２】図１に示される均等積付、段積み荷物の積替え装置で使用するパレットを示す斜視図である。
【図３】図１に示される均等積付、段積み荷物の積替え装置で使用する支えシートを示す平面図である。
【図４】図３に示された吊りベルトの付かない支えシートに使用する別体の吊りベルトを示す一部切り欠き平面図である。
【図５】図３に示された吊りベルトの付かない支えシートに使用する別体の吊りベルトを示す正面図である。
【図６】図１に示される均等積付、段積み荷物の積替え装置を荷物発送側の工場等でパレタイザーに積み重ね、１つ毎に取り出して使用する状態を概略的に示す正面図である。
【図７】図１に示される均等積付、段積み荷物の積替え装置に多数の荷物を均等積付、段積みした状態を示す正面図である。
【図８】図７に示される均等積付、段積み荷物の積替え装置に積載された荷物群をパレットから吊りベルトで吊り上げる準備状態を示す正面図である。
【図９】図８に示される均等積付、段積み荷物の積替え装置に積載された荷物群をパレットから吊りベルトで吊り上げた状態を示す正面図である。
【図１０】図８に示される均等積付、段積み荷物の積替え装置に積載された荷物群を荷締めベルトにて固定した状態を示す平面図である。
【図１１】この発明の均等積付、段積み荷物の積替え装置において別な例の吊りベルト付き支えシートを示す平面図である。
【図１２】図１１に示される吊りベルト付き支えシートを用いたこの発明の他の実施形態に係る均等積付、段積み荷物の積替え装置を示す斜視図である。
【図１３】この発明の均等積付、段積み荷物の積替え装置において更に別な例の吊りベルト付き支えシートを示す平面図である。
【図１４】図１３に示される吊りベルト付き支えシートを用いたこの発明の他の実施形態に係る均等積付、段積み荷物の積替え装置を示す斜視図である。
【図１５】この発明の均等積付、段積み荷物の積替え装置において吊りベルト付き支えシートの更に他の例を示す平面図である。
【符号の説明】
１０　均等積付、段積み荷物の積替え装置
２１　吊りベルト手段
２２　仮固定手段
３０　パレット
３１　間隙
３３　載荷面（上面デッキ）
３４　上板
３５　フォーク差し込み孔
３６　中央桁
３７　側部桁
４０　支えシート
４０ａ、４０ｂ、４０ｃ、４０ｄ　縁部
４１、４２　補助ベルト
４３　補強ベルト
４４　仮固定用ベルト
４５　接続用輪部
４６、４７、４８、４９　接着布
５０　吊りベルト
５１　丸棒金具
５２　支え用ベルト
５３　保形部材
５４　吊り上げ用環部
５５　荷締めベルト
５６、５６ａ　接着布
５７、５７ａ　接着布
７０　パレタイザー
７１　荷物群
８０　支えシート
８１、８１ａ、８２、８２ａ、８２、８３ａ　接着布
８４　吊りベルト
８５　支え用ベルト
８６　保形部材
８７　吊り上げ用環部
８８　荷締めベルト
８９、８９ａ　接着布
９０　支えシート
９０ａ、９０ｂ、９０ｃ、９０ｄ　縁部
９１　吊りベルト
９２　補助ベルト
９３　補強ベルト
９４　丸棒金具
９５　支え用ベルト
９６　保形部材
９７　接続用輪部
９８、９９　接着布
１００　支えシート
１００ａ、１００ｂ、１００ｃ、１００ｄ　縁部
１０１　吊りベルト
１０２　補助ベルト
１０３　外周ベルト
１０３ａ　補強ベルト
１０４　丸棒金具
１０５　支え用ベルト
１０６　保形部材
１０７　接続用輪部
１０８、１０９　接着布
１１０　荷締めベルト
１１１、１１１ａ　接着布
【図１】
2004136916.tif 000003
【図２】
2004136916.tif 000004
【図３】
2004136916.tif 000005
【図４】
2004136916.tif 000006
【図５】
2004136916.tif 000007
【図６】
2004136916.tif 000008
【図７】
2004136916.tif 000009
【図８】
2004136916.tif 000010
【図９】
2004136916.tif 000011
【図１０】
2004136916.tif 000012
【図１１】
2004136916.tif 000013
【図１２】
2004136916.tif 000014
【図１３】
2004136916.tif 000015
【図１４】
2004136916.tif 000016
【図１５】
2004136916.tif 000017